(57)【要約】【課題】迅速かつ容易に医療情報を参照できる医療情報参照装置及びそのプログラムを提供する。【解決手段】患者特定情報が含まれた予約リストを放射線部門システム、病院情報システム等から取得し、この予約リストを用いて患者の医療情報を取得する。医療従事者が、予約リストに示された患者の中から医療情報を参照したい患者を選択すると、その患者の患者特定情報が協調状態にある全ての医療情報参照機能に対して送信され、各医療情報参照機能は送信された患者特定情報に基づいて医療情報を表示する。【選択図】  図２
2005085199.tif 000002
【特許請求の範囲】
【請求項１】
診断レポート及び医用画像を含む医療情報を所定のシステムから取得し、通知された患者特定情報に基づいて該取得した医療情報を表示する複数の医療情報参照機能が動作する医療情報参照装置において、
患者特定情報を含む予約リストを所定のシステムから取得する予約リスト取得手段と、
前記取得した予約リストに含まれる患者特定情報のうちから、医療従事者の指示入力に基づいて患者特定情報を選択する患者特定情報選択手段と、
前記選択した患者特定情報を、更新された患者特定情報として各医療情報参照機能に通知する更新通知手段と、
各医療情報参照機能が前記通知された患者特定情報の更新を受諾または拒否していることを示す各医療情報参照機能の現在の協調状態を検知する協調状態検知手段と、
前記検知した各医療情報参照機能の現在の協調状態と、各医療情報参照機能における患者特定情報と、前記取得した予約リストとを表示する表示手段と、
を備えたことを特徴とする医療情報参照装置。
【請求項２】
前記患者特定情報の更新を受諾している医療情報参照機能のうちのいずれか一つにおいて患者特定情報が更新されると、前記受諾している他の医療情報参照機能における患者特定情報を更新させる協調制御手段をさらに備えることを特徴とする請求項１に記載の医療情報参照装置。
【請求項３】
前記予約リスト取得手段は、医療従事者の指示入力に基づいて予約リストを取得することを特徴とする請求項１または請求項２に記載の医療情報参照装置。
【請求項４】
前記取得した予約リストを指定された項目の昇順または降順で並び替える予約リストソート手段をさらに備えることを特徴とする請求項１乃至請求項３に記載の医療情報参照装置。
【請求項５】
診断レポート及び医用画像を含む医療情報を所定のシステムから取得し、通知された患者特定情報に基づいて該取得した医療情報を表示する複数の医療情報参照機能を動作させる医療情報参照プログラムにおいて、
患者特定情報を含む予約リストを所定のシステムから取得する予約リスト取得機能と、
前記取得した予約リストに含まれる患者特定情報のうちから、医療従事者の指示入力に基づいて患者特定情報を選択する患者特定情報選択機能と、
前記選択した患者特定情報を、更新された患者特定情報として各医療情報参照機能に通知する更新通知機能と、
各医療情報参照機能が前記通知された患者特定情報の更新を受諾または拒否していることを示す各医療情報参照機能の現在の協調状態を検知する協調状態検知機能と、
前記検知した各医療情報参照機能の現在の協調状態と、各医療情報参照機能における患者特定情報と、前記取得した予約リストとを表示する表示機能と、
を備えたことを特徴とする医療情報参照プログラム。
【請求項６】
前記患者特定情報の更新を受諾している医療情報参照機能のうちのいずれか一つにおいて患者特定情報が更新されると、前記受諾している他の医療情報参照機能における患者特定情報を更新させる協調制御機能をさらに備えることを特徴とする請求項５に記載の医療情報参照プログラム。
【請求項７】
前記予約リスト取得機能は、医療従事者の指示入力に基づいて予約リストを取得することを特徴とする請求項５または請求項６に記載の医療情報参照プログラム。
【請求項８】
前記取得した予約リストを指定された項目の昇順または降順で並び替える予約リストソート機能をさらに備えることを特徴とする請求項５乃至請求項７に記載の医療情報参照プログラム。
【発明の詳細な説明】
【技術分野】
【０００１】
本発明は、診断レポート、医用画像等の医療情報を参照する医療情報参照装置及び医療情報参照プログラムの技術分野に属し、特に所定のシステムから取得した予約リストに基づいて医療情報を参照する医療情報参照装置及び医療情報参照プログラムの技術分野に属する。
【背景技術】
【０００２】
１９９９年の厚生省（当時）通達以来、医療情報の電子化が進んでおり、医師などの医療従事者は、患者に関する電子化されたカルテ、診断レポート、画像、オーダなどさまざまな医療情報を元に医療行為を行っている。医療従事者は、電子化された医療情報を参照するために、医療情報参照装置上で、注目する医療情報に特化した医療情報参照機能を用いている。
【０００３】
医療従事者が医療情報を参照するには、医療情報参照装置で、参照する情報に特化した医療情報参照機能を使用する。ひとつの医療情報参照機能では、患者ＩＤ、患者名などの患者を特定する情報（以下、患者特定情報という）を入力し、その患者に対する医療行為に必要な医療情報を参照するが、同じ患者に関する別種の医療情報を参照するためには、該別種の医療情報に特化した医療情報参照機能に、再度、同一の患者特定情報を入力しなければならず、医療情報の参照に手間と時間を要している。
【０００４】
このため、現在注目している患者に関する医療情報を医療情報協調管理機能が保持し、ひとつの医療情報参照機能で入力した患者特定情報を他の医療情報参照機能との間で共有、協調するようにした医療情報参照装置が知られている。
【０００５】
このような医療情報参照装置では、医療情報参照装置上で参照可能な医療情報に特化した各医療情報参照機能は、初期状態として、すべて医療情報協調管理機能に対して接続し、協調状態とする。
【０００６】
医療従事者がある患者に関係する数種の医療情報を参照する場合、それぞれの医療情報に特化した医療情報参照機能を用いる。医療従事者が最初に注目する医療情報に特化した医療情報参照機能に患者特定情報を入力すると、医療情報参照機能は、入力された患者特定情報を医療情報協調管理機能に送信する。医療情報協調管理機能は、協調状態にあるすべての医療情報参照機能に対して、共有している患者特定情報が更新されたことを送信する。
【０００７】
患者特定情報の更新を受信した医療情報参照機能は、そのときの自身の状態により、受諾、拒否、協調切断などの選択を行う。受諾する場合は、更新された患者特定情報により、その医療情報参照機能に特化した患者に関係する情報を表示する。拒否する場合は、現在の状態を維持する。協調切断の場合は、現在の状態を維持し、さらに、以後、医療情報協調管理機能から患者特定情報の更新が送信されなくなる。
【０００８】
このようなシステムで医療従事者が診療予約の順番に何人もの患者の医療情報を効率的に参照しようとする場合、病院情報システム（ＨＩＳ；Hospital Information System）や放射線科情報システム（ＲＩＳ；Radiation Information System）における予約情報を用いる方法があり、診療を予約するシステムや受信予約情報を基にカルテの準備作業を効率化する方法が知られている（例えば、特許文献１参照）。特許文献１に記載された技術では、患者が携帯電話や固定電話から病院の予約を行い、これを基に各病院の診療科ごとに受信予約一覧表を作成する。この受信予約一覧表にはカルテ番号が記載されるので、診療に先立ってあらかじめ各患者のカルテを準備することができるようになっている。
【特許文献１】特開２００２−３１８８５４号公報
【発明の開示】
【発明が解決しようとする課題】
【０００９】
しかしながら、上述の特許文献１に記載の技術のように、予約情報を基にカルテを準備するだけでは、医療情報参照装置上でさまざまな医療情報を診療予約の順番に参照する場合、それぞれの医療情報参照機能で参照しようとする患者の患者特定情報を手動で入力し、その患者の参照が終わったら、次の患者の患者特定情報を再度手動で入力しなければならず、医療従事者にとって負担が大きい。
【００１０】
各医療情報参照機能において患者の患者特定情報を手動で入力する場合、診療予約中の患者と異なる患者特定情報を誤入力する可能性がある。また、各医療情報参照機能は医療情報を事前に用意することができず、医療情報の参照を効率的に行うことができない。
【００１１】
本発明は上記事情を鑑みてなされたもので、迅速かつ容易に医療情報を参照できる医療情報参照装置及びそのプログラムを提供することを目的とする。
【課題を解決するための手段】
【００１２】
上記目的を達成するために、請求項１に係る医療情報参照装置は、診断レポート及び医用画像を含む医療情報を所定のシステムから取得し、通知された患者特定情報に基づいて該取得した医療情報を表示する複数の医療情報参照機能が動作する医療情報参照装置において、患者特定情報を含む予約リストを所定のシステムから取得する予約リスト取得手段と、前記取得した予約リストに含まれる患者特定情報のうちから、医療従事者の指示入力に基づいて患者特定情報を選択する患者特定情報選択手段と、前記選択した患者特定情報を、更新された患者特定情報として各医療情報参照機能に通知する更新通知手段と、各医療情報参照機能が前記通知された患者特定情報の更新を受諾または拒否していることを示す各医療情報参照機能の現在の協調状態を検知する協調状態検知手段と、前記検知した各医療情報参照機能の現在の協調状態と、各医療情報参照機能における患者特定情報と、前記取得した予約リストとを表示する表示手段と、を備えたことを特徴としている。
【００１３】
請求項１に係る医療情報参照装置では、医療従事者が予約リストに含まれる患者特定情報を選択すると、患者特定情報の更新を受諾している医療情報参照機能において、その患者特定情報に基づいて医療情報が表示される。医療従事者は、異なる患者について医療情報の参照を繰り返す場合でも患者特定情報を選択するだけでよく、逐一手入力する必要がない。
【００１４】
このように、請求項１に係る医療情報参照装置では、医療従事者は迅速かつ容易に医療情報を参照でき、また患者特定情報を誤入力する恐れがない。
【００１５】
なお、請求項１に係る医療情報参照装置では、予約リストは病院情報システム（ＨＩＳ）や放射線科情報システム（ＲＩＳ）等から取得することができる。
【００１６】
請求項２に係る医療情報参照装置は、請求項１に記載の医療情報参照装置において、前記患者特定情報の更新を受諾している医療情報参照機能のうちのいずれか一つにおいて患者特定情報が更新されると、前記受諾している他の医療情報参照機能における患者特定情報を更新させる協調制御手段をさらに備えることを特徴としている。
【００１７】
請求項２に係る医療情報参照装置では、協調制御手段により、患者特定情報の更新を受諾している医療情報参照機能のうちのいずれか一つにおいて患者特定情報が更新されると、受諾している他の医療情報参照機能における患者特定情報も同様に更新される。
【００１８】
したがって医療従事者は、複数の医療情報を参照する際に医療情報参照機能ごとに患者特定情報を入力し直す必要がない。なお、各医療情報参照機能における患者特定情報の更新を反映して、患者特定情報の表示が変更される。
【００１９】
請求項３に係る医療情報参照装置は、請求項１または請求項２に記載の医療情報参照装置において、前記予約リスト取得手段は、医療従事者の指示入力に基づいて予約リストを取得することを特徴としている。
【００２０】
予約リストを基に患者の医療情報を参照する場合、予約リストは最新のものを用いる必要がある。請求項３に係る医療情報参照装置では、医療従事者の指示入力に基づいて予約リストを取得することで、医療情報を参照する際に最新の予約リストを取得することができる。
【００２１】
請求項４に係る医療情報参照装置は、請求項１乃至請求項３に記載の医療情報参照装置において、前記取得した予約リストを指定された項目の昇順または降順で並び替える予約リストソート手段をさらに備えることを特徴としている。
【００２２】
請求項４に係る医療情報参照装置では、予約リストをソートできるようにしたことで、患者特定情報を特定の条件に従って選択できるようになり、医療従事者はいっそう迅速かつ容易に医療情報を参照することができる。
【００２３】
なお、予約リストのソートは、予約日、予約時間、患者名、性別、年齢等の項目により行うことができる。
【００２４】
上記目的を達成するために、請求項５に係る医療情報参照プログラムは、診断レポート及び医用画像を含む医療情報を所定のシステムから取得し、通知された患者特定情報に基づいて該取得した医療情報を表示する複数の医療情報参照機能を動作させる医療情報参照プログラムにおいて、患者特定情報を含む予約リストを所定のシステムから取得する予約リスト取得機能と、前記取得した予約リストに含まれる患者特定情報のうちから、医療従事者の指示入力に基づいて患者特定情報を選択する患者特定情報選択機能と、前記選択した患者特定情報を、更新された患者特定情報として各医療情報参照機能に通知する更新通知機能と、各医療情報参照機能が前記通知された患者特定情報の更新を受諾または拒否していることを示す各医療情報参照機能の現在の協調状態を検知する協調状態検知機能と、前記検知した各医療情報参照機能の現在の協調状態と、各医療情報参照機能における患者特定情報と、前記取得した予約リストとを表示する表示機能と、を備えたことを特徴としている。
【００２５】
請求項５に係る医療情報参照プログラムでは、医療従事者が予約リストに含まれる患者特定情報を選択すると、患者特定情報の更新を受諾している医療情報参照機能において、その患者特定情報に基づいて医療情報が表示される。医療従事者は、異なる患者について医療情報の参照を繰り返す場合でも患者特定情報を選択するだけでよく、逐一手入力する必要がない。
【００２６】
このように、請求項５に係る医療情報参照プログラムでは、医療従事者は迅速かつ容易に医療情報を参照でき、また患者特定情報を誤入力する恐れがない。
【００２７】
なお、請求項５に係る医療情報参照プログラムでは、予約リストは病院情報システム（ＨＩＳ）や放射線科情報システム（ＲＩＳ）等から取得することができる。
【００２８】
請求項６に係る医療情報参照プログラムは、請求項５に記載の医療情報参照プログラムにおいて、前記患者特定情報の更新を受諾している医療情報参照機能のうちのいずれか一つにおいて患者特定情報が更新されると、前記受諾している他の医療情報参照機能における患者特定情報を更新させる協調制御機能をさらに備えることを特徴としている。
【００２９】
請求項６に係る医療情報参照プログラムでは、協調制御機能により、患者特定情報の更新を受諾している医療情報参照機能のうちのいずれか一つにおいて患者特定情報が更新されると、受諾している他の医療情報参照機能における患者特定情報も同様に更新される。
【００３０】
したがって医療従事者は、複数の医療情報を参照する際に医療情報参照機能ごとに患者特定情報を入力し直す必要がない。なお、各医療情報参照機能における患者特定情報の更新を反映して、患者特定情報の表示が変更される。
【００３１】
請求項７に係る医療情報参照プログラムは、請求項５または請求項６に記載の医療情報参照プログラムにおいて、前記予約リスト取得機能は、医療従事者の指示入力に基づいて予約リストを取得することを特徴としている。
【００３２】
予約リストを基に患者の医療情報を参照する場合、予約リストは最新のものを用いる必要がある。請求項７に係る医療情報参照プログラムでは、医療従事者の指示入力に基づいて予約リストを取得することで、医療情報を参照する際に最新の予約リストを取得することができる。
【００３３】
請求項８に係る医療情報参照プログラムは、請求項５乃至請求項７に記載の医療情報参照プログラムにおいて、前記取得した予約リストを指定された項目の昇順または降順で並び替える予約リストソート機能をさらに備えることを特徴としている。
【００３４】
請求項８に係る医療情報参照プログラムでは、予約リストをソートできるようにしたことで、患者特定情報を特定の条件に従って選択できるようになり、医療従事者はいっそう迅速かつ容易に医療情報を参照することができる。
【００３５】
なお、予約リストのソートは、予約日、予約時間、患者名、性別、年齢等の項目により行うことができる。
【発明の効果】
【００３６】
本発明に係る医療情報参照装置及びそのプログラムでは、迅速かつ容易に医療情報を参照できる。
【発明を実施するための最良の形態】
【００３７】
以下、添付図面に従って、本発明に係る医療情報参照装置及び医療情報参照プログラムの好ましい実施の形態について詳説する。
【実施例１】
【００３８】
図１に、本実施の形態に係る医療情報参照装置１０１の構成を示す。医療情報参照装置１０１は、中央処理装置（以下、ＣＰＵという）１０２、記憶装置部１０３、入力装置部１０４、出力装置部１０５、及び通信装置部１０６により構成されている。
【００３９】
ＣＰＵ１０２は各装置の制御やデータの計算、加工を行い、医療情報参照プログラムを実行する装置である。
【００４０】
記憶装置部１０３は、医療情報参照装置１０１内で実行される医療情報参照プログラム１０７や以下に示す医療情報参照機能、医療情報等を記憶する装置であり、ハードディスク、フロッピーディスク、光ディスク、光磁気ディスクなどの外部記憶装置と、ＲＡＭ（Random Access Memory）及びＲＯＭ（Read Only Memory）を利用した内部記憶装置で構成される。
【００４１】
入力装置部１０４は、医療従事者が医療情報参照装置１０１を動かすための指示やデータ等を与える装置であり、キーボード、マウス、タブレット、及び音声入力装置などで構成される。
【００４２】
出力装置部１０５は、医療情報参照装置１０１で処理したデータや医療情報等を出力する装置であり、ＣＲＴディスプレイ及び液晶ディスプレイなどの表示装置と、インクジェットプリンタ及びレーザプリンタなどの印刷装置で構成される。
【００４３】
通信装置部１０６は通信回線を介して放射線部門システム２１１や病院情報システム等の外部システムや装置と通信するための装置であり、モデム及びアダプタなどで構成される。
【００４４】
医療情報参照プログラム１０７は、医療情報参照機能としてのレポート機能２０２および画像参照機能２０３を有し、これらの機能が、医療情報協調管理機能２０１により患者特定情報を共有し、協調動作する。これらの医療情報参照機能の協調状態には、協調接続（接続）、協調拒否（拒否）、協調切断（切断）がある。
【００４５】
医療情報協調管理機能２０１は、医療情報参照機能の機能名称、協調状態、患者ＩＤ、患者名、性別、年齢を逐次表示する機能を持つ協調共有情報画面２０７を持ち、患者特定情報を一意に特定するための患者特定情報ＩＤ、患者ＩＤ、患者名、性別、年齢を管理する患者特定情報２０４を持ち、医療情報参照機能の機能名称、接続状態、患者特定情報ＩＤを管理する協調情報２０５を持つ。
【００４６】
また、医療情報協調管理機能２０１は、予約情報取得ボタン２１３を押すことにより放射線部門システム２１１の予約情報２１２にアクセスして予約情報を取得する機能を持ち、取得した予約情報から予約リストを作成する機能を持ち、参照ボタン２１４を押すことにより予約リスト中の患者特定情報を協調接続中の医療情報参照機能に送信する機能を持ち、患者特定情報の更新を受諾している医療情報参照機能のうちのいずれか一つにおいて患者特定情報が更新されると、受諾している他の医療情報参照機能における患者特定情報を更新させる機能を持つ。
【００４７】
レポート機能２０２は、レポート画面２０９、レポート用データベース２１５、患者特定情報の入力、レポートに特化した機能、医療情報協調管理機能２０１と協調、共有するための機能、医療情報協調管理機能２０１からの指示で放射線部門システム２１１のレポート情報２１７からレポート情報を取得する機能を持つ。
【００４８】
画像参照機能２０３は、画像参照画面２１０、患者特定情報の入力、画像参照に特化した機能、医療情報協調管理機能２０１と協調、共有するための機能、医療情報協調管理機能２０１からの指示で放射線部門システム２１１の画像情報２１８から画像情報を取得する機能を持つ。
【００４９】
なお、本実施の形態では、医療情報参照装置１０１がレポート機能２０２及び画像参照機能２０３を備える場合について説明しているが、医療情報参照装置１０１が備える医療情報参照機能はこれらに限定されるものではなく、電子化カルテ参照機能や診療履歴参照機能等を備えるようにしてもよい。
【００５０】
以下、医療情報参照装置１０１における医療情報参照機能の協調動作、予約リストの取得、患者情報の設定、及び医療情報の参照について説明する。図２に、医療情報協調管理機能２０１、レポート機能２０２、及び画像参照機能２０３の動作と画面表示の様子を示す。
【００５１】
まず、図３に基づき、レポート機能２０２と画像参照機能２０３とが、医療情報協調管理機能２０１と協調するため接続するシーケンスについて説明する。
【００５２】
医療従事者３０１は、レポート機能２０２を起動する。レポート機能２０２は、医療情報協調管理機能２０１に協調接続３０２を行う。
【００５３】
医療情報協調管理機能２０１は、協調接続３０２を受信すると、内部情報更新３０３により、協調情報２０５に機能名称（診断レポート参照）、協調状態（接続中）、患者特定情報ＩＤ（無し）を登録し、協調共有情報更新表示３０４により、協調共有情報画面２０７に機能名称（診断レポート参照）、協調状態（接続中）、患者ＩＤ（無し）、患者名（無し）、性別（無し）、年齢（無し）を表示する。
【００５４】
次に、医療従事者３０１は画像参照機能２０３を起動する。画像参照機能２０３は、医療情報協調管理機能２０１に協調接続３０５を行う。
【００５５】
医療情報協調管理機能２０１は、協調接続３０５を受信すると、内部情報更新３０６により、協調情報２０５に機能名称（画像参照）、協調状態（接続中）、患者特定情報ＩＤ（無し）を登録し、協調共有情報更新表示３０７により、協調共有情報画面２０７に機能名称（画像参照）、協調状態（接続中）、患者ＩＤ（無し）、患者名（無し）、性別（無し）、年齢（無し）を表示する。
【００５６】
このように、医療情報参照装置１０１では、医療情報参照機能が協調接続を行うと、協調共有情報画面２０７の表示がその結果を反映して更新されるので、医療従事者は現在の状態を容易に認識することができ、誤認や誤操作が防止される。
【００５７】
次に、図４に基づき、医療情報協調管理機能２０１が放射線部門システム２１１から患者特定情報を含んだ予約リストを取得し、これに基づいて各医療情報参照機能に特化した情報を取得するシーケンスについて説明する。
【００５８】
医療従事者３０１は、医療情報協調管理機能２０１の予約情報取得ボタン２１３を押し、予約情報検索条件入力画面４０８を起動する。予約情報検索条件入力画面４０８は、患者ＩＤ、患者名、予約日、モダリティなどこれから参照する医療情報の予約情報を取得する検索条件を入力することができる。医療従事者３０１は、予約情報検索条件入力画面４０８で検索条件を入力し、医療情報協調管理機能２０１に検索条件入力４０１を送信する。図４では、ワイルドカード”＊”を設定している。医療情報協調管理機能２０１は、この検索条件を保持する。
【００５９】
医療従事者３０１は、検索条件の入力が完了したら、予約情報取得ボタン４０９を押し、医療情報協調管理機能２０１に検索実行４０２を送信する。検索実行４０２を受信した医療情報協調管理機能２０１は、予約情報検索要求４０３を放射線部門システム２１１に送信する。
【００６０】
予約情報検索要求４０３を受信した放射線部門システム２１１は、予約情報２１２を検索する予約情報検索４０４を実行し、予約リストを取得し、医療情報協調管理機能２０１に予約リスト４０５（患者ＩＤ：00-123-4｜患者名：日立  太郎｜性別：男｜予約日：2003/06/27｜予約時間：10:00、患者ＩＤ：00-456-7｜患者名：日立  花子｜性別：女｜予約日：2003/06/27｜予約時間：10:30）を送信する。
【００６１】
予約リスト４０５を受信した医療情報協調管理機能２０１は、予約リスト４０５より予約リスト２０８を予約日、予約時間でソートし作成する内部情報更新４０６を実行する。内部情報更新４０６が完了したら、協調共有情報画面２０７の予約リスト２０８に予約リストを表示する予約リスト表示４０７を実行し、患者ＩＤ：00-123-4｜患者名：日立  太郎｜性別：男｜予約日：2003/06/27｜予約時間：10:00、患者ＩＤ：00-456-7｜患者名：日立  花子｜性別：女｜予約日：2003/06/27｜予約時間：10:30を表示する。
【００６２】
次に、医療情報協調管理機能２０１は、レポート機能２０２にレポート情報取得要求４１０を送信する。レポート情報取得要求４１０を受信したレポート機能２０２は、放射線部門システム２１１にレポート情報取得要求４１１を送信する。レポート情報取得要求４１１を受信した放射線部門システム２１１は、レポート情報２１７から該当する現在、過去のレポート情報を検索し、レポート機能２０２にレポート情報４１２を送信する。レポート情報４１２を受信したレポート機能２０２は、レポート情報を記憶装置部１０３にあるレポート用データベース２１５に格納し、完了したら医療情報協調管理機能２０１にレポート情報取得完了報告４１３を送信する。
【００６３】
次に、医療情報協調管理機能２０１は、画像参照機能２０３に画像情報取得要求４１４を送信する。画像情報取得要求４１４を取得した画像参照機能２０３は、放射線部門システム２１１に画像情報取得要求４１５を送信する。画像情報取得要求４１５を受信した放射線部門システム２１１は、画像情報２１８から該当する現在、過去の画像情報を検索し、画像参照機能２０３に画像情報４１６を送信する。画像情報４１６を受信した画像参照機能２０３は、画像情報を記憶装置部１０３にある画像用データベース２１６に格納し、完了したら、医療情報協調管理機能２０１に画像情報取得完了報告４１７を送信する。
【００６４】
このように、医療情報参照装置１０１では、医療従事者の指示入力に基づいて予約リストが取得され、ソートされる。予約リストは画面に表示されると共に、各医療情報参照機能に通知される。
【００６５】
次に、図５に基づき、レポート機能２０２、画像参照機能２０３が医療情報協調管理機能２０１と協調して、予約リストにより患者特定情報を設定するシーケンスについて説明する。
【００６６】
医療従事者３０１は、協調共有情報画面２０７の予約リスト２０８の参照したい患者の参照ボタンを押し、医療情報協調管理機能２０１に予約リスト選択５０１を送信する。本実施例では、参照ボタン５１３を押す。
【００６７】
予約リスト選択５０１を受信した医療情報協調管理機能２０１は、内部情報更新５０２により、患者特定情報２０４に患者ＩＤ（00-123-4）、患者名（日立  太郎）、性別（男）を登録し、患者特定情報ＩＤ（２）を得る。次に、レポート機能２０２に、患者特定情報更新５０３により患者特定情報（患者ＩＤ：00-123-4、患者名：日立  太郎、性別：男、予約日：2003/06/27、予約時間：10:00）を送信する。レポート機能２０２は、患者特定情報（患者ＩＤ：00-123-4、患者名：日立  太郎、性別：男、予約日：2003/06/27、予約時間：10:00）があたかも入力されたように動作し、レポート特化処理５０４によりレポート用データベース２１５よりレポート情報を取得し、医療情報協調管理機能２０１に受諾５０５を送信する。
【００６８】
また、レポート機能２０２は、レポート特化処理５０４により、受信した患者特定情報に従ってレポートを表示する。医療従事者は、これにより参照したい患者（ここでは日立太郎）のレポートを参照することができる。
【００６９】
受諾５０５を受信した医療情報協調管理機能２０１は、内部情報更新５０６により、協調情報２０５に機能名称（レポート）、接続状態（接続中）、患者特定情報ＩＤ（２）を登録し、協調共有情報更新表示５０７により、協調共有情報画面２０７に機能名称（レポート）、接続状態（接続中）、患者ＩＤ（00-123-4）、患者名（日立  太郎）、性別（男）を表示する。
【００７０】
次に、医療情報協調管理機能２０１は、画像参照機能２０３に患者特定情報更新５０８により、患者特定情報（患者ＩＤ：00-123-4、患者名：日立  太郎、性別：男）を送信する。画像参照機能２０３は、患者特定情報（患者ＩＤ：00-123-4、患者名：日立  太郎、性別：男）があたかも入力されたように動作し、画像参照特化処理５０９により画像用データベース２１６より画像情報を取得し、医療情報協調管理機能２０１に受諾５１０を送信する。
【００７１】
また、画像参照機能２０３は、画像参照特化処理５０９により、受信した患者特定情報に従って画像を表示する。医療従事者は、これにより参照したい患者（ここでは日立太郎）の画像を参照することができる。
【００７２】
受諾５１０を受信した医療情報協調管理機能２０１は、内部情報更新５１１により、協調情報２０５に機能名称（画像参照）、接続状態（接続中）、患者特定情報ＩＤ（２）を登録し、協調共有情報更新表示５１２により、協調共有情報画面２０７に機能名称（画像参照）、接続状態（接続中）、患者ＩＤ（00-123-4）、患者名（日立  太郎）、性別（男）を表示する。
【００７３】
このように、医療情報参照装置１０１では、医療従事者は予約リストを見て参照ボタンを押すだけで、患者の医療情報を参照することができる。参照ボタンを押すだけなので医療情報の参照を迅速かつ容易に行うことができ、また患者特定情報を誤入力する恐れがない。さらに、事前に現在、過去の医療情報を取得し準備することにより、医療行為の効率化を図ることができる。
【００７４】
次に、図６に基づき、レポート機能２０２、画像参照機能２０３が医療情報協調管理機能２０１と協調して、予約リストによる患者特定情報を設定するシーケンスについて説明する。ここでは、画像参照機能２０３が、協調による医療情報協調管理機能２０１からの患者特定情報更新を拒否する場合を説明する。
【００７５】
医療従事者３０１は、協調共有情報画面２０７の予約リスト２０８の参照したい患者の参照ボタンを押し、医療情報協調管理機能２０１に予約リスト選択６０１を送信する。ここでは、参照ボタン６１３を押す。
【００７６】
予約リスト選択６０１を受信した医療情報協調管理機能２０１は、内部情報更新６０２により、患者特定情報２０４に患者ＩＤ（00-456-7）、患者名（日立  花子）、性別（女）を登録し、患者特定情報ＩＤ（１）を得る。次に、レポート機能２０２に、患者特定情報更新６０３により患者特定情報（患者ＩＤ：00-456-7、患者名：日立  花子、性別：女）を送信する。レポート機能２０２は、患者特定情報（患者ＩＤ：00-456-7、患者名：日立  花子、性別：女）があたかも入力されたかのように動作し、レポート特化処理６０４により、レポート用データベース２１５よりレポート情報を取得し、医療情報協調管理機能２０１に受諾６０５を送信する。
【００７７】
また、レポート機能２０２は、レポート特化処理６０４により、受信した患者特定情報に従ってレポートを表示する。医療従事者は、これにより参照したい患者（ここでは日立花子）のレポートを参照することができる。
【００７８】
受諾６０５を受信した医療情報協調管理機能２０１は、内部情報更新６０６により、協調情報２０５に機能名称（レポート）、接続状態（接続中）、患者特定情報ＩＤ（１）を登録し、協調共有情報更新表示６０７により、協調共有情報画面２０７に機能名称（レポート）、接続状態（接続中）、患者特定情報（00-456-7）、患者名（日立  花子）、性別（女）を表示する。
【００７９】
次に、医療情報協調管理機能２０１は、画像参照機能２０３に患者特定情報更新６０８により、患者特定情報（患者ＩＤ：00-456-7、患者名：日立  花子、性別：女）を送信する。画像参照機能２０３は、この時、画像参照特化処理６０９を行い、その結果、この機能特有の事情により、拒否６１０を医療情報協調管理機能２０１に送信する。
【００８０】
また、画像参照機能２０３は、患者特定情報の更新を拒否しているので、画像表示の状態はそのまま維持される（ここでは、日立太郎の画像表示が継続される）。
【００８１】
拒否６１０を受信した医療情報協調管理機能２０１は、内部情報更新６１１により、協調情報２０５に機能名称（画像参照）、接続状態（拒否中）、患者特定情報ＩＤ（２）を登録し、協調共有情報更新表示６１２により、協調共有情報画面２０７に機能名称（画像参照）、接続状態（拒否中）、患者ＩＤ（00-123-4）、患者名（日立  太郎）、性別（男）、年齢（３８）を表示し、患者特定情報が変化していないことを医療情報従事者に示す。このように、協調共有情報画面２０７の表示は患者特定情報の更新拒否の結果を反映して更新されるので、医療従事者は現在の協調状態や共有情報を容易に認識でき、誤認や誤操作が防止される。
【００８２】
なお、図６のシーケンスでは、画像参照機能２０３が患者特定情報の更新を拒否する場合について説明しているが、画像参照機能２０３が受諾する場合は、新たな患者特定情報（本実施の形態では患者ＩＤ：00-456-7、患者名：日立花子、性別：女、年齢：４０）に基づいて画像表示が更新され、また協調共有情報画面２０７の表示もこれに基づいて更新される。
【００８３】
なお、本実施の形態では、医療情報参照機能が協調接続あるいは協調拒否を行う場合について説明しているが、患者特定情報が更新された場合、各医療情報参照機能は状況に応じて協調切断を行うことも可能である。この場合、協調切断した医療情報参照機能は現在の状態を維持し、さらに、以後、医療情報協調管理機能から患者特定情報の更新が送信されなくなる。協調共有情報画面は、これらの結果を反映して更新される。
【図面の簡単な説明】
【００８４】
【図１】本発明の一の実施の形態に係る医療情報参照装置のハードウェア構成を示すブロック図である。
【図２】本発明の一の実施の形態に係り、レポート機能と画像参照機能が、予約リストを持つ医療情報協調管理機能との間で患者特定情報を共有し、協調動作する場合の処理の流れ及び画面を示す図である。
【図３】本発明の一の実施の形態に係り、レポート機能と画像参照機能が医療情報協調管理機能と協調接続する場合のシーケンス図と協調共有情報画面を示す図である。
【図４】本発明の一の実施の形態に係り、レポート機能と画像参照機能が放射線部門システムから予約情報を取得する場合のシーケンス図と協調共有情報画面を示す図である。
【図５】本発明の一の実施の形態に係り、レポート機能と画像参照機能が、医療情報協調管理機能と協調して、患者特定情報を設定するシーケンス図と協調共有情報画面を示す図である。
【図６】本発明の一の実施の形態に係り、レポート機能と画像参照機能が、医療情報協調管理機能と協調して、患者特定情報を設定するシーケンス図と協調共有情報画面を示す図である。
【符号の説明】
【００８５】
１０１・・・医療情報参照装置、１０２・・・ＣＰＵ、１０３・・・記憶装置部、１０４・・・入力装置部、１０５・・・出力装置部、１０６・・・通信装置部、１０７・・・医療情報参照プログラム、２０１・・・医療情報協調管理機能、２０２・・・レポート機能、２０３・・・画像参照機能、２０４・・・患者特定情報、２０５・・・協調情報、２０６、２０８・・・予約リスト、２０７・・・協調共有情報画面、２０９・・・レポート画面、２１０・・・画像参照画面、  ２１１・・・放射線部門システム、２１２・・・予約情報、２１３・・・予約情報取得ボタン、２１４、５１３、６１３・・・参照ボタン、２１５・・・レポート用データベース、２１６・・・画像用データベース、２１７・・・レポート情報、２１８・・・画像情報、３０１・・・医療従事者、３０２、３０５・・・協調接続、３０３、３０６、４０６、５０２、５０６、５１１、６０２、６０６、６１１・・・内部情報更新、３０４、３０７、５０７、５１２、６０７、６１２・・・協調共有情報更新表示、４０１・・・検索条件入力、４０２・・・検索実行、  ４０３・・・予約情報検索要求、４０４・・・予約情報検索、４０５・・・予約リスト、４０７・・・予約リスト表示、４０８・・・予約情報検索条件入力画面、４０９・・・予約情報取得ボタン、４１０、４１１・・・レポート情報取得要求、４１２・・・レポート情報、４１３・・・レポート情報取得完了報告、４１４、４１５・・・画像情報取得要求、４１６・・・画像情報、  ４１７・・・画像情報取得完了報告、５０１、６０１・・・予約リスト選択、５０３、５０８、６０３、６０８・・・患者特定情報更新、５０４、６０４・・・レポート特化処理、５０５、５１０、６０５・・・受諾、５０９、６０９・・・画像参照特化処理、６１０・・・拒否
【図１】
2005085199.tif 000003
【図２】
2005085199.tif 000004
【図３】
2005085199.tif 000005
【図４】
2005085199.tif 000006
【図５】
2005085199.tif 000007
【図６】
2005085199.tif 000008